(57)【要約】      （修正有）【課題】目地部が狭くなるように揺れ動いても、固定側目地カバーと可動側目地カバーとが押し合わなくても、可動側目地カバーを回動させながら上方へ移動させて、その揺れ動きを吸収でき、固定側目地カバーや可動側目地カバーに傷が生じたり、損傷したりするのを確実に防止することができる天井用目地カバー装置を提供する。【解決手段】一方の躯体に取付けられた固定側目地カバー７と、他方の建物の天井部位あるいは外壁面に上下移動および先端部が上方へ回動可能に取付けられた可動側目地カバー１１と、一方の躯体に先端部が目地部のほぼ中央部に位置するように突出させたせり上げ支柱１２とせり上げ部材１８とからなり、目地部２が狭くなると可動側目地カバーを回動および上方へほぼ水平状態に吊り下げられるように移動させる構成とした。【選択図】図２
2008133675.tif 000002
【特許請求の範囲】
【請求項１】
目地部を介して建てられた左右の建物の一方の建物の天井部位の躯体に先端部が前記目地部の端部に突出位置するように取付けられた固定側目地カバーと、この固定側目地カバーと対向する部位に位置して目地部を覆う後端部が前記左右の建物の他方の建物の天井部位あるいは外壁面に上下移動および先端部が上方へ回動可能に取付けられた可動側目地カバーと、前記固定側目地カバーの上部位置の一方の建物の天井部位の躯体に先端部が前記目地部のほぼ中央部に位置するように突出するせり上げ支柱、このせり上げ支柱の先端部に常時突出方向に付勢された上面が順次下方へ位置する傾斜面に形成されたせり上げ片とからなるせり上げ部材と、このせり上げ部材のせり上げ片と係合して、目地部が狭くなると前記可動側目地カバーを回動および上方へほぼ水平状態に吊り下げられるように移動させる、該可動側目地カバーの上面に取付けられた支持バーとからなることを特徴とする天井用目地カバー装置。
【請求項２】
目地部を介して建てられた左右の建物の一方の建物の天井部位の躯体に上面が傾斜面に形成された先端部が前記目地部の端部に突出状態で位置するように取付けられた固定側目地カバーと、この固定側目地カバーと対向する部位に位置して目地部を覆う後端部が前記左右の建物の他方の建物の天井部位あるいは外壁面に後端部が上方への移動および前記固定側目地カバーの先端部の傾斜面と対応する傾斜面の先端部が上方へ回動できる取付け金具を用いて取付けられた可動側目地カバーと、前記固定側目地カバーの上部位置の一方の建物の天井部位の躯体に先端部が前記目地部の端部あるいは目地部のほぼ中央部に位置するように突出するせり上げ支柱、このせり上げ支柱の先端部に常時突出方向に付勢された上面が順次下方へ位置する傾斜面に形成されたせり上げ片とからなるせり上げ部材と、このせり上げ部材のせり上げ片と係合して、目地部が狭くなると前記可動側目地カバーを回動および上方へほぼ水平状態に吊り下げられるように移動させる、該可動側目地カバーの上面に取付けられたコ字状の支持バーとからなることを特徴とする天井用目地カバー装置。
【請求項３】
目地部を介して建てられた左右の建物の一方の建物の天井部位の躯体に先端部が前記目地部の端部に突出位置するように取付けられた固定側目地カバーと、この固定側目地カバーと対向する部位に位置して目地部を覆う後端部が前記左右の建物の他方の建物の天井部位あるいは外壁面に上下移動可能に取付けられた可動側目地カバーと、前記固定側目地カバーの上部位置の一方の建物の天井部位の躯体に取付けられた上面が順次下方へ位置する傾斜面に形成された先端部が前記目地部の端部に突出位置するせり上げ支柱、このせり上げ支柱の上部あるいは下部に位置し、先端部が前記目地部のほぼ中央部に位置するように突出させたせり上げ片支持柱および、このせり上げ片支持柱の先端部に常時突出方向に付勢された上面が順次下方へ位置する傾斜面に形成されたせり上げ片とからなるせり上げ部材と、このせり上げ部材のせり上げ片とせり上げ支柱と係合して、目地部が狭くなると前記可動側目地カバーをほぼ水平状態で上方へ吊り下げられるように移動させる、該可動側目地カバーの先端部寄りおよび中央部寄りの上面に取付けられた先端支持バーおよび支持バーとからなることを特徴とする天井用目地カバー装置。
【請求項４】
目地部を介して建てられた左右の建物の一方の建物の天井部位の躯体に先端部が前記目地部の端部に突出位置するように取付けられた固定側目地カバーと、この固定側目地カバーと対向する部位に位置して目地部を覆う後端部が前記左右の建物の他方の建物の天井部位あるいは外壁面に上下移動可能に取付けられた可動側目地カバーと、前記固定側目地カバーの上部位置の一方の建物の天井部位の躯体に取付けられた上面が順次下方へ位置する傾斜面に形成された先端部が前記目地部の端部に突出位置するせり上げ支柱、このせり上げ支柱の上部あるいは下部に位置し、先端部が前記目地部のほぼ中央部に位置するように突出させたせり上げ片支持柱および、このせり上げ片支持柱の先端部に常時突出方向に付勢された上面が順次下方へ位置する傾斜面に形成されたせり上げ片とからなるせり上げ部材と、このせり上げ部材のせり上げ片とせり上げ支柱と係合して、目地部が狭くなると前記可動側目地カバーをほぼ水平状態で上方へ吊り下げられるように移動させる、該可動側目地カバーの先端部寄りおよび中央部寄りの上面に取付けられた先端支持バーおよび支持バーと、前記可動側目地カバーの上部位置の前記他方の建物の天井部位あるいは外壁面に先端部が、該可動側目地カバーのほぼ中央部に位置するように固定された少なくとも2個のアーム、この少なくとも2個のアームの先端部に一端部が取付けられ、他端部が前記可動側目地カバー、前記先端支持バー、前記支持バーのいずれかに取付けられた可撓性の吊り下げ紐とからなる可動側目地カバー水平保持機構とからなることを特徴とする天井用目地カバー装置。
【請求項５】
目地部を介して建てられた左右の建物の一方の建物の天井部位の躯体に先端部が前記目地部の端部に突出位置するように取付けられた固定側目地カバーと、この固定側目地カバーと対向する部位に位置して目地部を覆う後端部が前記左右の建物の他方の建物の天井部位あるいは外壁面に上下移動可能に取付けられた可動側目地カバーと、前記固定側目地カバーの上部位置の一方の建物の天井部位の躯体に先端部が前記目地部のほぼ中央部に位置するように突出させた
先端部の上面が順次下方へ位置する傾斜面に形成されたせり上げ部材と、このせり上げ部材と係合して、目地部が狭くなると前記可動側目地カバーをほぼ水平状態で上方に吊り下げられるように移動させる、該可動側目地カバーの上面に取付けられた支持バーと、前記せり上げ部材の目地部が狭くなる場合の移動を阻止しないように、前記他方の建物の天井部位あるいは外壁面に開口するように形成された凹部とからなることを特徴とする天井用目地カバー装置。
【発明の詳細な説明】
【技術分野】
【０００１】
本発明は目地部を介して建てられた左右の建物等の天井部分の目地部を覆う天井用目地カバー装置に関する。
【背景技術】
【０００２】
従来の天井用目地カバー装置は目地部を介して建てられた左右の建物の一方の建物の天井部位の躯体に取付けられた、天井材の目地部側端部に設けられた目地カバー押し上げ部と、この目地カバー押し上げ部と対向する部位の前記左右の建物の他方の建物の躯体に常時は前記目地部を覆うように支持され、地震等によって目地部が狭くなる場合には上方へ移動可能な目地カバーと、地震等によって目地部が広くなる場合に前記目地カバーの目地部を覆っていた状態を保つ目地カバー保持具と、前記目地カバーのほぼ中央部寄りの上面に上方へ突出するように固定されたチャンネル状の受け具と、前記一方の建物の天井材と躯体との間に前記目地カバーが入り込むように固定された先端部が地震等によって目地部が狭くなる場合に前記受け具内に入り込み、前記目地カバーを上方へ押し上げ移動させる押上げ杆とで構成されている。
【０００３】
このため、地震によって目地部が狭くなった場合、天井材の先端部に取付けられた傾斜面の目地カバー押し上げ部材に目地カバーの先端部が押し付けられて、傾斜面に沿って上方へスライド移動させるため、目地カバーや目地カバー押し上げ部材に傷がついたり、損傷したりするという欠点があった。
【特許文献１】特許第３６８８５１０号
【発明の開示】
【発明が解決しようとする課題】
【０００４】
本発明は以上のような従来の欠点に鑑み、目地部が狭くなるように揺れ動いても、固定側目地カバーと可動側目地カバーとが押し合わなくても、可動側目地カバーを回動させながら上方へ移動させて、その揺れ動きを吸収でき、固定側目地カバーや可動側目地カバーに傷が生じたり、損傷したりするのを確実に防止することができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の一方の建物の天井部位の躯体に先端部が前記目地部の端部に突出位置するように取付けられた固定側目地カバーと、この固定側目地カバーと対向する部位に位置して目地部を覆う後端部が前記左右の建物の他方の建物の天井部位あるいは外壁面に上下移動および先端部が上方へ回動可能に取付けられた可動側目地カバーと、前記固定側目地カバーの上部位置の一方の建物の天井部位の躯体に先端部が前記目地部のほぼ中央部に位置するように突出するせり上げ支柱、このせり上げ支柱の先端部に常時突出方向に付勢された上面が順次下方へ位置する傾斜面に形成されたせり上げ片とからなるせり上げ部材と、このせり上げ部材のせり上げ片と係合して、目地部が狭くなると前記可動側目地カバーを回動および上方へほぼ水平状態に吊り下げられるように移動させる、該可動側目地カバーの上面に取付けられた支持バーとで天井用目地カバーを構成している。
【０００７】
本発明は目地部を介して建てられた左右の建物の一方の建物の天井部位の躯体に先端部が前記目地部の端部に突出位置するように取付けられた固定側目地カバーと、この固定側目地カバーと対向する部位に位置して目地部を覆う後端部が前記左右の建物の他方の建物の天井部位あるいは外壁面に上下移動可能に取付けられた可動側目地カバーと、前記固定側目地カバーの上部位置の一方の建物の天井部位の躯体に取付けられた上面が順次下方へ位置する傾斜面に形成された先端部が前記目地部の端部に突出位置するせり上げ支柱、このせり上げ支柱の上部あるいは下部に位置し、先端部が前記目地部のほぼ中央部に位置するように突出させたせり上げ片支持柱および、このせり上げ片支持柱の先端部に常時突出方向に付勢された上面が順次下方へ位置する傾斜面に形成されたせり上げ片とからなるせり上げ部材と、このせり上げ部材のせり上げ片とせり上げ支柱と係合して、目地部が狭くなると前記可動側目地カバーをほぼ水平状態で上方へ吊り下げられるように移動させる、該可動側目地カバーの先端部寄りおよび中央部寄りの上面に取付けられた先端支持バーおよび支持バーと、前記可動側目地カバーの上部位置の前記他方の建物の天井部位あるいは外壁面に先端部が、該可動側目地カバーのほぼ中央部に位置するように固定された少なくとも2個のアーム、この少なくとも2個のアームの先端部に一端部が取付けられ、他端部が前記可動側目地カバー、前記先端支持バー、前記支持バーのいずれかに取付けられた可撓性の吊り下げ紐とからなる可動側目地カバー水平保持機構とで天井用目地カバー装置を構成している。
【発明の効果】
【０００８】
以上の説明から明らかなように、本発明にあっては次に列挙する効果が得られる。
【０００９】
（１）地震で目地部が狭くなるとせり上げ部材のせり上げ片が支持バーを押し上げ、可動側目地カバーの先端部を固定側目地カバーの上部に回動させながら上方へ移動させることができる。
したがって、可動側目地カバーの回動および上方への移動をさせるのに、従来のように固定側目地カバーの押し圧力を用いないので、可動側目地カバーや固定側目地カバーに傷がついたり損傷したりするのを確実に防止することができる。
【００１０】
（２）前記（１）によって、固定側目地カバーの先端部が他方の建物の天井部位あるいは外壁面に近づくと、せり上げ部材のせり上げ片を付勢力に抗して一方の建物方向へ移動させて最大の移動量を確保するとともに、せり上げ部材の損傷を防止することができる。
【００１１】
（３）前記（１）によって、構造が簡単であるので、容易に設置することができる。
【００１２】
（４）請求項2、３、５も前記（１）〜（３）と同様な効果が得られるとともに、固定側目地カバーの先端部と可動側目地カバーの先端部との間に小さな隙間を設けるだけで、非接触状態で可動側目地カバーの回動および上方への移動をさせることができる。
【００１３】
（５）請求項4も前記（１）〜（３）と同様な効果が得られるとともに、可動側目地カバー水平機構によって、目地部が広くなるように左右の建物が揺れ動いたときには可動側目地カバーを安全に水平状態に保って、見苦しくなるのを確実に防止することができる。
【発明を実施するための最良の形態】
【００１４】
以下、図面に示す本発明を実施するための最良の形態により、本発明を詳細に説明する。
【００１５】
図1ないし図7に示す本発明を実施するための最良の第1の形態において、１は目地部2を介して建てられた、左右の建物３、３の天井部位の目地部を覆う本発明の天井用目地カバー装置で、この天井用目地カバー装置1は前記左右の建物３、３の一方の建物３の天井部位の躯体３ａに上面が傾斜面4の先端部が前記目地部2の端部に突出状態で位置するように取付けられた下地材５と天井材6とからなる固定側目地カバー７と、この固定側目地カバー７と対向する部位に位置して目地部２を覆う後端部が前記左右の建物３、３の他方の建物３の外壁面８に後端部が上方への移動および前記固定側目地カバー７の先端部の傾斜面４と対応する傾斜面９の先端部が上方へ回動できる複数個の取付け金具１０を用いて取付けられた可動側目地カバー１１と、前記固定側目地カバー７の上部位置の一方の建物３の目地部側の天井部位の躯体３ａに先端部が前記目地部２の端部に位置するように突出させた少なくとも１個以上、本実施の形態では２個のパイプ材を用いた、せり上げ支柱１２、このせり上げ支柱１２の先端部に長孔１３とストッパー１４によって抜け脱不能、スライド移動可能で常時付勢スプリング１５で突出するように付勢された上面が順次下方へ位置するほぼ４５度の傾斜面１６に形成された、せり上げ片１７とからなるせり上げ部材１８と、このせり上げ部材１８のせり上げ片１７と係合して、目地部２が狭くなるように地震で揺れ動いた場合に、前記可動側目地カバー１１を回動および上方へほぼ水平状態に吊り下げられるように移動させる、該可動側目地カバー１１の上面に取付けられた逆Ｌ字状あるいはコ字状の支持バー１９と、前記可動側目地カバー１１をほぼ水平状態に保持する一端部が該可動側目地カバー１１の先端部に取付けられ、他端部が可動側目地カバー１１の上部の他方の建物３の外壁面８に取付けられたロープ、チェーンやワイヤー等の可撓性の吊り下げ具２０および可動側目地カバー１１の後端部を支持する外壁面８に取付けられた支持台２１とで構成されている。
なお、せり上げ部材１８の付勢スプリング１５は支持バー１９を上方へせり上げる場合には、せり上げ片１７は突出状態を保ち、外壁面８に当接すると反付勢方向にせり上げ片１７を移動させることができる付勢力に設定されている。
【００１６】
前記取付け金具１０は図４に示すように、前記可動側目地カバー１１の後部上面に上方へ突出するように固定される先端部がほぼ４５度曲げられた支持杆２２と、この支持杆２２の曲げ部に固定されたストッパー片２３と、このストッパー片２３が係止される支持杆挿入孔２４を有する外壁面８に複数本のタッピングビス２５等で固定されるＬ字状の固定金具２６とで構成されている。
なお、せり上げ片１７の先端部には必要に応じてローラー２７を取付けたものを用いてもよい。
【００１７】
上記構成の天井用目地カバー装置１は、通常時には図１および図２に示すように天井目地部は固定側目地カバー７と可動側目地カバー１１とがほぼ同一面状態で覆われている。
地震で目地部２が広くなるように揺れ動いた場合には、図５に示すように固定側目地カバー７と可動側目地カバー１１とが離れて、その揺れ動きを吸収する。
目地部２が狭くなるように揺れ動いた場合には、まず図６に示すように固定側目地カバー７の先端部と可動側目地カバー１１の先端部とが衝突する前にせり上げ部材１８のせり上げ片１７の傾斜面１６と支持バー１９とを係合して先端部を上方へ移動させるため、可動側目地カバー１１が回動した状態となる。  
さらに目地部２が狭くなると、図７に示すようにせり上げ片１７の平坦部１７ａに支持バー１９が支持され、可動側目地カバー１１がほぼ水平状態となる吊り下げ状態となり、この状態でせり上げ片１７が外壁面８に当接すると、付勢スプリング１５の付勢力に抗してせり上げ片１７をスライド移動させて、目地部２が最小となる移動を可能にする。
なお、揺れ動きが停止することにより、自動的に元の状態に戻る。
[発明を実施するための異なる形態]
【００１８】
次に、図８ないし図３２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１１に示す本発明を実施するための第２の形態において、前記本発明を実施するための最良の第１の形態と主に異なる点は、先端部の上面が順次下方へ位置する傾斜面２８に形成された、せり上げ支柱１２Ａと、このせり上げ支柱１２Ａの下部位置に設けたせり上げ片支持柱２９、このせり上げ片支持柱２９に付勢スプリング１５で常時突出するようにスライド移動可能に取付けられた先端部が可動側目地カバー１１の中央部、あるいは中央部より少し他方の建物３側寄りの部位に位置する、せり上げ片１７とからなるせり上げ部材１８Ａと、このせり上げ部材１８Ａのせり上げ支柱１２Ａの先端部と係合するように可動側目地カバー１１の先端部の上面に取付けられたコ字状の先端支持バー３０とを用いた点で、このように構成した天井用目地カバー装置１Ａにしても、前記本発明を実施するための最良の第１の形態と同様な作用効果が得られるとともに、せり上げ支柱１２Ａの先端部の傾斜面２８とせり上げ片１７の先端部の傾斜面１６によって目地部２が狭くなるように揺れ動いた場合、先端支持バー３０と支持バー１９とが上方へ押し上げられ、可動側目地カバー１１がほぼ水平状態で上方へ移動させて、その揺れ動きを吸収することができる。
【００２０】
図１２ないし図１４に示す本発明を実施するための第３の形態において、前記本発明を実施するための最良の第１の形態と主に異なる点は、先端部をほぼ垂直面あるいは傾斜面に形成された可動側目地カバー１１Ａと、先端部の上部に凹部３１が形成された固定側目地カバー７Ａと、前記可動側目地カバー１１Ａをほぼ水平状態に保持する中央部に枢支部３２を有するリンク３３を可動側目地カバー１１Ａの先端部と他方の建物３の外壁面８とに枢支金具３４、３４で枢支した点で、このように構成した天井用目地カバー装置１Ｂにしても、前記本発明を実施するための最良の第１の形態と同様な作用効果が得られる。
【００２１】
図１５ないし図１８に示す本発明を実施するための第４の形態において、前記本発明を実施するための最良の第１の形態と主に異なる点は、先端部の上面が傾斜面２８に形成したせり上げ部材１８Ｂと、このせり上げ部材１８Ｂが目地部２が狭くなった場合に入り込む凹部３５を他方の建物３の目地部側躯体３ａに形成した点で、このように構成した天井用目地カバー装置１Ｃにしても、前記本発明を実施するための最良の第１の形態と同様な作用効果が得られる。
【００２２】
図１９ないし図２１に示す本発明を実施するための第５の形態において、前記本発明を実施するための第２の形態と主に異なる点は、上面にあり溝３６が形成された、せり上げ片１７Ａと、このせり上げ片１７Ａのあり溝３６と係合する係合片３７を先端部側の下面に形成した、せり上げ支柱１２Ｂと、このせり上げ支柱１２Ｂの後端部で前記せり上げ片１７Ａのあり溝３６部位に取付けられた付勢スプリング支持部材３８と、この付勢スプリング支持部材３８に支持された前記せり上げ片１７Ａを常時突出方向に付勢する付勢スプリング１５Ａとからなるせり上げ部材１８Ｃを用いた点で、このように構成した天井用目地カバー装置１Ｄにしても、前記本発明を実施するための第２の形態と同様な作用効果が得られる。
【００２３】
図２２ないし図２４に示す本発明を実施するための第６の形態において、前記本発明を実施するための第２の形態と主に異なる点は、せり上げ支柱１２Ａの上部位置にせり上げ片支持柱２９およびせり上げ片１７を配置したせり上げ部材１８Ｄと、他方の建物３の外壁面８に後端部が上方への移動可能に複数個の取付け金具１０Ａを用いて取付けられた可動側目地カバー１１とを用いた点で、このように構成した天井用目地カバー装置１Ｅにしても、前記本発明を実施するための第２の形態と同様な作用効果が得られる。
なお、複数個の取付け金具１０Ａの下部部材１０ａの取付け位置は可動側目地カバー１１の上面との間に固定側目地カバー７の厚さ分以上の隙間を設けて設置しなければならない。
【００２４】
図２５ないし図２７に示す本発明を実施するための第７の形態において、前記本発明を実施するための第６の形態と主に異なる点は、可動側目地カバー１１を上方への移動可能に支持する取付け金具１０Ａを上端部が逆Ｌ字状に形成した取付け金具取付け板３９と、この取付け金具取付け板３９を支承ローラー４０、横方向からの力に対して該取付け金具取付け板３９をスライド移動させる２個のローラー４１、４１を介して他方の建物３の外壁面８に取付けた点で、このように構成した天井用目地カバー装置１Ｆにしても、前記本発明を実施するための第６の形態と同様な作用効果が得られる。
【００２５】
図２８ないし図３０に示す本発明を実施するための第８の形態において、前記本発明を実施するための第５の形態と主に異なる点は、可動側目地カバー１１の上部の他方の建物３の外壁面８に先端部が、該可動側目地カバー１１の中央部へ突出するように固定された少なくとも２個のアーム４２、４２と、この少なくとも２個のアーム４２、４２の先端部に一端部が取付けられ、他端部が支持バー１９、１９に取付けられたワイヤー、ロープ、チェーン等の可撓性の吊り下げ紐４３とからなる可動側目地カバー水平保持機構４４を設けた点で、このような可動側目地カバー水平保持機構４４を用いて構成した天井用目地カバー装置１Ｇにしても、前記本発明を実施するための第５の形態と同様な作用効果が得られるとともに、目地部２が広くなるように左右の建物３、３が揺れ動いた場合には、可動側目地カバー水平保持機構４４によって、可動側目地カバー１１を水平状態に保って、安全で、かつ揺れ動きが停止した場合には確実に元の状態へ戻れ、損傷を防止することができる。
【００２６】
図３１および図３２に示す本発明を実施するための第９の形態において、前記本発明を実施するための第８の形態と主に異なる点は、可動側目地カバー１１のフレーム１１ａに吊り下げ紐４３、４３を取付けた可動側目地カバー水平保持機構４４Ａを用いた点で、このような可動側目地カバー水平保持機構４４Ａを用いて構成した天井用目地カバー装置１Ｈにしても、前記本発明を実施するための第８の形態と同様な作用効果が得られる。
【産業上の利用可能性】
【００２７】
本発明は天井用目地カバー装置を製造する産業で利用される。
【図面の簡単な説明】
【００２８】
【図１】本発明を実施するための最良の第１の形態の平面図。
【図２】図１の２−２線に沿う拡大断面図。
【図３】図１の３−３線に沿う断面図。
【図４】本発明を実施するための最良の第１の形態の取付け金具の説明図。
【図５】本発明を実施するための最良の第１の形態の目地部が広くなった動作説明図。
【図６】本発明を実施するための最良の第１の形態の目地部が狭くなる最初の動作説明図。
【図７】本発明を実施するための最良の第１の形態の目地部が大きく狭くなった動作説明図。
【図８】本発明を実施するための第２の形態の平面図。
【図９】図８の９−９線に沿う拡大断面図。
【図１０】本発明を実施するための第２の形態の目地部が狭くなる最初の動作説明図。
【図１１】本発明を実施するための第２の形態の目地部が大きく狭くなった動作説明図。
【図１２】本発明を実施するための第３の形態の平面図。
【図１３】図１２の１３−１３線に沿う拡大断面図。
【図１４】本発明を実施するための第３の形態の目地部が狭くなる最初の動作説明図。
【図１５】本発明を実施するための第４の形態の平面図。
【図１６】図１５の１６−１６線に沿う拡大断面図。
【図１７】図１５の１７−１７線に沿う断面図。
【図１８】本発明素実施するための第４の形態の目地部が大きく狭くなった動作説明図。
【図１９】本発明を実施するための第５の形態の平面図。
【図２０】図１９の２０−２０線に沿う拡大断面図。
【図２１】本発明を実施するための第５の形態のせり上げ部材の説明図。
【図２２】本発明を実施するための第６の形態の平面図。
【図２３】図２２の２３−２３線に沿う拡大断面図。
【図２４】本発明を実施するための第６の形態の目地部が狭くなった動作説明図。
【図２５】本発明を実施するための第７の形態の平面図。
【図２６】図２５の２６−２６線に沿う拡大断面図。
【図２７】本発明を実施するための第７の形態の目地部が狭くなった動作説明図。
【図２８】本発明を実施するための第８の形態の平面図。
【図２９】図２８の２９−２９線に沿う拡大断面図。
【図３０】図２８の３０−３０線に沿う断面図。
【図３１】本発明を実施するための第９の形態の平面図。
【図３２】図３１の３２−３２線に沿う拡大断面図。
【符号の説明】
【００２９】
１、１Ａ、１Ｂ、１Ｃ、１Ｄ、１Ｅ、１Ｆ、１Ｇ、１Ｈ：天井用目地カバー装置、
２：目地部、                                                ３：建物、
４：傾斜面、                                                ５：下地材、            
６：天井材                                        ７、７Ａ：固定側目地カバー、
８：外壁面、                                                ９：傾斜面、
１０、１０Ａ：取付け金具、
１１、１１Ａ：可動側目地カバー
１２、１２Ａ、１２Ｂ：せり上げ支柱、
１３：長孔、                                                １４：ストッパー、
１５、１５Ａ：付勢スプリング、１６：傾斜面、
１７、１７Ａ：せり上げ片、
１８、１８Ａ、１８Ｂ、１８Ｃ：せり上げ部材、
１９：支持バー、                            ２０：吊り下げ具、
２１：支持台、                                ２２：支持杆、
２３：ストッパー片、                    ２４：支持杆挿入孔、
２５：タッピングビス、                ２６：固定金具、
２７：ローラー、                            ２８：傾斜面、
２９：せり上げ片支持柱、                        ３０：先端支持バー、
３１：凹部、                                                ３２：枢支部、
３３：リンク、                                ３４：枢支金具、
３５：凹部、                                                ３６：あり溝、
３７：係合片、                                ３８：付勢スプリング支持部材、
３９：取付け金具取付け板、        ４０：支承ローラー、
４１：ローラー、                            ４２：アーム、
４３：吊り下げ紐、
４４、４４Ａ：可動側目地カバー水平保持機構。
【図１】
2008133675.tif 000003
【図２】
2008133675.tif 000004
【図３】
2008133675.tif 000005
【図４】
2008133675.tif 000006
【図５】
2008133675.tif 000007
【図６】
2008133675.tif 000008
【図７】
2008133675.tif 000009
【図８】
2008133675.tif 000010
【図９】
2008133675.tif 000011
【図１０】
2008133675.tif 000012
【図１１】
2008133675.tif 000013
【図１２】
2008133675.tif 000014
【図１３】
2008133675.tif 000015
【図１４】
2008133675.tif 000016
【図１５】
2008133675.tif 000017
【図１６】
2008133675.tif 000018
【図１７】
2008133675.tif 000019
【図１８】
2008133675.tif 000020
【図１９】
2008133675.tif 000021
【図２０】
2008133675.tif 000022
【図２１】
2008133675.tif 000023
【図２２】
2008133675.tif 000024
【図２３】
2008133675.tif 000025
【図２４】
2008133675.tif 000026
【図２５】
2008133675.tif 000027
【図２６】
2008133675.tif 000028
【図２７】
2008133675.tif 000029
【図２８】
2008133675.tif 000030
【図２９】
2008133675.tif 000031
【図３０】
2008133675.tif 000032
【図３１】
2008133675.tif 000033
【図３２】
2008133675.tif 000034